(57)【要約】【課題】従来に比べて早く認証結果を通知できるとともに、電子機器を起動する前に起動するか否かをユーザに確認することができる技術を実現する。【解決手段】所定の範囲内に存在する電子機器と通信装置が無線通信を行うシステムであって、前記電子機器は、前記通信装置に存在を通知する無線信号を送信する通信手段と、前記電子機器に装着された機器が純正品であるか否かを判定する判定手段と、前記判定手段により機器が純正品でないと判定された場合に、前記無線信号に前記純正品でない機器であることを示す特定の情報を付加する付加手段と、を有し、前記通信装置は、前記無線信号を検出する検出手段と、前記無線信号に含まれる情報を用いて前記電子機器との接続を行う通信手段と、前記無線信号に前記特定の情報が付加されていた場合に、前記通信手段により前記電子機器と接続を行う前に前記純正品でない機器であることを通知する通知手段と、を有する。【選択図】図２
2018006145.tif 000002
【特許請求の範囲】
【請求項１】
所定の範囲内に存在する通信装置と無線通信を行う電子機器であって、
前記通信装置に存在を通知する無線信号を送信する通信手段と、
前記電子機器に装着された機器が純正品であるか否かを判定する判定手段と、
前記判定手段により機器が純正品でないと判定された場合に、前記無線信号に前記純正品でない機器であることを示す特定の情報を付加する付加手段と、を有し、
前記通信手段は、前記通信装置が前記電子機器を遠隔操作により起動させる前に前記特定の情報を付加した無線信号を前記通信装置に送信することを特徴とする電子機器。
【請求項２】
前記無線信号は、前記通信手段により定期的に送信される信号であり、
前記判定手段による判定結果に応じて、前記無線信号を送信する時間間隔が変更されることを特徴とする請求項１に記載の電子機器。
【請求項３】
前記機器は電池であり、
前記通信手段は、前記電池から電力が供給されて動作することを特徴とする請求項１または２に記載の電子機器。
【請求項４】
前記電子機器は、装置に対して着脱可能な第１の電池と、装置に内蔵されて着脱できない第２の電池とを有し、
前記判定手段により前記第１の電池が純正品でないと判定された場合に、前記通信手段の電源が前記第２の電池に切り替えられることを特徴とする請求項３に記載の電子機器。
【請求項５】
前記判定手段による判定結果を記憶する記憶手段をさらに有し、
前記判定手段により前記電池が純正品でないと判定された場合に、前記通信装置において前記電池を電源として前記電子機器を起動させるか否かをユーザに問い合わせ、
前記問い合わせに対して前記電子機器の起動が選択された場合、前記電子機器は、前記判定手段による判定結果を前記電池は純正品であるという判定結果に変更することを特徴とする請求項３または４に記載の電子機器。
【請求項６】
前記電池が装着されると、前記通信手段が起動され、前記電子機器および前記通信装置が起動されていない状態で無線通信を行うことを特徴とする請求項３ないし５のいずれか１項に記載の電子機器。
【請求項７】
前記判定手段による判定は、前記通信手段、または、前記通信手段を使用しない場合は前記電子機器を制御する制御手段が行うことを特徴とする請求項１ないし６のいずれか１項に記載の電子機器。
【請求項８】
前記電子機器は前記通信装置との接続が行われると、前記通信装置による遠隔操作が可能となることを特徴とする請求項１ないし７のいずれか１項に記載の電子機器。
【請求項９】
前記無線通信は、Ｂｌｕｅｔｏｏｔｈ（登録商標）であることを特徴とする請求項１ないし８のいずれか１項に記載の電子機器。
【請求項１０】
所定の範囲内に存在する電子機器と無線通信を行う通信装置であって、
前記電子機器から送信される無線信号を検出する検出手段と、
前記無線信号に含まれる情報を用いて前記電子機器との接続を行う通信手段と、
前記無線信号に、前記電子機器に装着された機器が純正品でないことを示す特定の情報が付加されていた場合に、前記通信手段により前記電子機器と接続を行う前に前記純正品でない機器であることを通知する通知手段と、を有することを特徴とする通信装置。
【請求項１１】
前記通知手段による通知は、前記通信装置が前記電子機器を遠隔操作により起動させる前に行うことを特徴とする請求項１０に記載の通信装置。
【請求項１２】
前記通知手段による通知を行った後、前記電子機器を起動させるか否かをユーザに選択可能に問い合わせる手段を有し、
前記問い合わせに対して前記電子機器の起動が選択されなかった場合、前記通信装置は、前記無線信号を停止させる要求を送信し、前記電子機器は、前記要求を受信した場合に、前記無線信号を停止することを特徴とする請求項１０または１１に記載の通信装置。
【請求項１３】
前記無線信号は、前記電子機器から定期的に送信される信号であることを特徴とする請求項１０ないし１２のいずれか１項に記載の通信装置。
【請求項１４】
前記機器は電池であることを特徴とする請求項１０ないし１３のいずれか１項に記載の通信装置。
【請求項１５】
前記電子機器に電池が装着されると、前記電子機器の通信手段が起動され、前記電子機器および前記通信装置が起動されていない状態で無線通信を行うことを特徴とする請求項１４に記載の通信装置。
【請求項１６】
前記通信装置は、前記電子機器との接続が行われると、前記電子機器の遠隔操作が可能となることを特徴とする請求項１０ないし１５のいずれか１項に記載の通信装置。
【請求項１７】
前記無線通信は、Ｂｌｕｅｔｏｏｔｈ（登録商標）であることを特徴とする請求項１０ないし１６のいずれか１項に記載の通信装置。
【請求項１８】
所定の範囲内に存在する電子機器と通信装置が無線通信を行うシステムであって、
前記電子機器は、
前記通信装置に存在を通知する無線信号を送信する通信手段と、
前記電子機器に装着された機器が純正品であるか否かを判定する判定手段と、
前記判定手段により機器が純正品でないと判定された場合に、前記無線信号に前記純正品でない機器であることを示す特定の情報を付加する付加手段と、を有し、
前記通信装置は、
前記無線信号を検出する検出手段と、
前記無線信号に含まれる情報を用いて前記電子機器との接続を行う通信手段と、
前記無線信号に前記特定の情報が付加されていた場合に、前記通信手段により前記電子機器と接続を行う前に前記純正品でない機器であることを通知する通知手段と、を有することを特徴とするシステム。
【請求項１９】
通信装置と無線通信を行う電子機器の制御方法であって、
前記通信装置に存在を通知する無線信号を送信するステップと、
前記電子機器に装着された機器が純正品であるか否かを判定するステップと、
前記機器が純正品でないと判定された場合に、前記通信装置との接続を行うための無線信号に前記純正品でない機器であることを示す特定の情報を付加するステップと、
前記通信装置が前記電子機器を遠隔操作により起動させる前に前記特定の情報を付加した無線信号を前記通信装置に送信するステップと、を有することを特徴とする電子機器の制御方法。
【請求項２０】
電子機器と無線通信を行う通信装置の制御方法であって、
前記電子機器から送信される無線信号を検出するステップと、
前記無線信号に、前記電子機器に装着された機器が純正品でないことを示す特定の情報が付加されていた場合に、前記電子機器と接続を行う前に前記純正品でない機器であることを通知するステップと、を有することを特徴とする通信装置の制御方法。
【請求項２１】
請求項１９または２０に記載された制御方法を、電子機器または通信装置のコンピュータに実行させるためのプログラム。
【請求項２２】
請求項１９または２０に記載された制御方法を、電子機器または通信装置のコンピュータに実行させるためのプログラムを記憶したコンピュータによる読み取りが可能な記憶媒体。
【発明の詳細な説明】
【技術分野】
【０００１】
本発明は、無線通信を行う技術に関する。
【背景技術】
【０００２】
従来、カメラなどの電子機器では、リチウムイオン電池等の二次電池が使用されている。二次電池においては、カメラメーカーにより動作を保証されているいわゆる純正品と、その他、市販されている純正品でない電池とが存在する。そこで、純正品の電池か否かを判定するために、電池認証を行う技術がある（特許文献１）。電池認証を行う場合、電子機器のメインコントローラにより電池認証を行い、認証ＮＧの場合は電子機器に認証ＮＧの結果を表示して、ユーザに注意喚起を図っている。
【０００３】
最近では、Ｂｌｕｅｔｏｏｔｈ（登録商標）などの無線通信技術を使い、ユーザがスマートフォンなどの通信装置によりデジタルカメラなどの電子機器を起動するなどの遠隔操作を行うことも可能である。このような場合も電池認証を行い、ユーザに注意喚起する必要がある。
【０００４】
また、図８に示すように、デジタルカメラをスマートフォンを用いて遠隔操作で起動させる場合は、デジタルカメラを起動した後に電池認証を行い、その後、接続が確立した無線通信により電池認証結果をスマートフォンに送信し、ユーザに通知を行っている。
【先行技術文献】
【特許文献】
【０００５】
【特許文献１】特開２００９−１５１９５３号公報
【発明の概要】
【発明が解決しようとする課題】
【０００６】
しかしながら、上記従来技術では、ユーザが通信装置により電子機器を起動させた後でないと電池認証が行われないため、電池認証結果をユーザに通知するまでに時間がかかるとともに、電子機器の起動をその都度実行する必要があった。
【０００７】
本発明は、上記課題に鑑みてなされ、その目的は、従来に比べて早く認証結果を通知できるとともに、電子機器を起動する前に起動するか否かをユーザに確認することができる技術を実現することである。
【課題を解決するための手段】
【０００８】
上記課題を解決し、目的を達成するために、本発明の電子機器は、所定の範囲内に存在する通信装置と無線通信を行う電子機器であって、前記通信装置に存在を通知する無線信号を送信する通信手段と、前記電子機器に装着された機器が純正品であるか否かを判定する判定手段と、前記判定手段により機器が純正品でないと判定された場合に、前記無線信号に前記純正品でない機器であることを示す特定の情報を付加する付加手段と、を有し、前記通信手段は、前記通信装置が前記電子機器を遠隔操作により起動させる前に前記特定の情報を付加した無線信号を前記通信装置に送信する。
【０００９】
また、本発明の通信装置は、所定の範囲内に存在する電子機器と無線通信を行う通信装置であって、前記電子機器から送信される無線信号を検出する検出手段と、前記無線信号に含まれる情報を用いて前記電子機器との接続を行う通信手段と、前記無線信号に、前記電子機器に装着された機器が純正品でないことを示す特定の情報が付加されていた場合に、前記通信手段により前記電子機器と接続を行う前に前記純正品でない機器であることを通知する通知手段と、を有する。
【発明の効果】
【００１０】
本発明によれば、従来に比べて早く認証結果を通知できるとともに、電子機器を起動する前に起動するか否かをユーザに確認することができるようになる。
【図面の簡単な説明】
【００１１】
【図１】実施形態１の装置構成を示すブロック図。
【図２】実施形態１の電池認証処理を示すフローチャート。
【図３】実施形態２の装置構成を示すブロック図。
【図４】実施形態２の電池認証処理を示すフローチャート。
【図５】本実施形態の電池認証結果の表示例を示す図。
【図６】ビーコンのフレーム構造を例示する図。
【図７】本実施形態の電池認証処理を示すフローチャート。
【図８】従来の電池認証処理を示すフローチャート。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１３】
本実施形態では、所定の範囲内に存在する電子機器１０１としてのデジタルカメラと通信装置１２１としてのスマートフォンがＢｌｕｅｔｏｏｔｈ（登録商標）により無線通信を行うシステムについて説明する。なお、本実施形態の電子機器１０１はデジタルカメラに限らず、例えば、タブレットデバイス、メディアプレーヤ、監視カメラ、医療機器などであってもよい。また、本実施形態の通信装置１２１は携帯電話の一種であるスマートフォンに限らず、例えば、携帯型機器としての、腕時計型端末、メガネ型端末、無線通信機能付きのデジタルカメラ、タブレットデバイス、パーソナルコンピュータなどであってもよい。
【００１４】
＜電子機器の構成＞まず、図１を参照して、本実施形態の電子機器の構成および機能の概略について説明する。
【００１５】
図１において、電子機器１０１はデジタルカメラ等の撮像装置であり、カメラ機能に加えて、メインコントローラ１０２、無線部１０３、電池１０４、操作部１０９、表示部１１０、メモリ１１１を備える。
【００１６】
メインコントローラ１０２は、ＭＰＵやＣＰＵなどのマイクロプロセッサ、ＲＯＭなどの不揮発性しメモリ、ＲＡＭなどの揮発性メモリを有し、電子機器１０１の全体を統括して制御する。メインコントローラ１０２は、ＲＯＭに格納されたプログラムを実行することで、後述する制御シーケンスを実現する。なお、メインコントローラ１０２が機器全体を制御する代わりに、複数のハードウェアが処理を分担することで、装置全体を制御してもよい。ＲＡＭは、動作用の定数、変数、ＲＯＭから読み出したプログラム等を展開する作業領域として使用される。
【００１７】
無線部１０３は、電子機器１０１が通信装置１２１と無線通信を行うための無線コントローラ１０６、無線ドライバー１０７、アンテナ１０８を有する。無線通信方式としてはＢｌｕｅｔｏｏｔｈ（登録商標）、ＷＬＡＮ（Ｗｉｒｅｌｅｓｓ  ＬＡＮ）、ＲＦＩＤ（Ｒａｄｉｏ  Ｆｒｅｑｕｅｎｃｙ  ＩＤｅｎｔｉｆｉｅｒ）などが適用される。無線コントローラ１０６は、無線部１０３による無線信号の発信制御を行う。無線ドライバー１０７はアンテナ１０８を駆動する。アンテナ１０８は電子機器１０１の無線通信用のアンテナである。
【００１８】
操作部１０９は、ユーザからの各種操作を受け付ける各種スイッチ、ボタン、タッチパネル等の操作部材からなり、電子機器１０１に対して動作指示を出力する。操作部１０９には、例えば、電源をオンオフする電源ボタン、撮影指示を行うシャッターボタン、各種機能を有するホームボタンなどを含む。また、後述する表示部１１０に一体的に形成されるタッチパネルも操作部１０９に含まれる。
【００１９】
表示部１１０は、ユーザへの通知や対話的な操作のための文字やアイコン、画像などの表示を行う。表示部１１０は、例えば、液晶ディスプレイ、有機ＥＬディスプレイ等の表示デバイスである。
【００２０】
電池１０４は、認証部１０５を内蔵し、電子機器１０１に対して着脱可能な二次電池などの周辺機器である。電池１０４は、例えば、リチウムイオン電池などが適用される。認証部１０５は、固有の識別番号（ＩＤ番号）などの予め定められた周辺機器であるか否かを判定するための認証情報を有している。認証部１０５は、メインコントローラ１０２と無線コントローラ１０６に接続されている。これにより、後述する電池認証処理がメインコントローラ１０２と無線コントローラ１０６でも実施可能となっている。
【００２１】
メモリ１１１は、撮像された画像データを一時的に記憶するバッファメモリや、表示部１１０の画像表示用メモリとして使用される。また、メモリ１１１には、後述する電池認証の判定結果として、電池１０４が“純正品”または“非純正品“であることを示す特定の情報が格納される。
【００２２】
一方、通信装置１２１は携帯電話の一種であるスマートフォン等であり、メインコントローラ１２２、アンテナ１２８を有する無線部１２３、電池１２４、操作部１２９、表示部１３０を備える。通信装置１２１の上記各構成要素の基本的な機能は電子機器１０１と同様であるため、詳細な説明は省略する。本実施形態の通信装置１２１は、ユーザが所持し、無線通信機能を用いて離れた位置にある電子機器１０１を遠隔操作により起動することができる。
【００２３】
＜電子機器１０１と通信装置１２１の動作＞次に、図２を参照して、本実施形態の電子機器１０１と通信装置１２１の動作について説明する。
【００２４】
図２は、通信装置１２１の遠隔操作により電子機器１０１を起動させる場合の電池認証処理と、電池認証結果の通知処理のシーケンスを示し、電子機器１０１の動作は、無線部１０３のシーケンスと、それ以外のブロックのシーケンスとを分けて示している。
【００２５】
なお、図２の処理は、電子機器１０１および通信装置１２１の各メインコントローラ１０２、１２２がＲＯＭから読み出した制御プログラムをＲＡＭに展開して実行することにより実現される。また、図２の処理は、ユーザにより電子機器１０１に電池１０４が装着されたことが検出されると開始される。後述する図４でも同様である。
【００２６】
ステップＳ２０１で、電子機器１０１のメインコントローラ１０２がユーザにより電池１０４が装着されたことを検出すると、ステップＳ２０２の処理に進む。
【００２７】
ステップＳ２０２では、電子機器１０１のメインコントローラ１０２は、無線部１０３を使用するか否かの確認を行う。無線部１０３を使用する場合は、ステップＳ２０３に進み、無線部１０３を使用しない場合は、後述する図７のシーケンスに進み、通信装置１２１による遠隔操作を行わないで、電子機器１０１のみでの起動および認証処理を実施する。
【００２８】
ステップＳ２０３では、電子機器１０１のメインコントローラ１０２は、無線部１０３を起動する。この時点では、メインコントローラ１０２は、ユーザからの起動指示を受けていないため起動していない状態である。無線部１０３が起動した後、ステップＳ２０４では、無線コントローラ１０６が、電池１０４の認証部１０５と通信を行って電池認証を実施する。
【００２９】
ステップＳ２０５では、ステップＳ２０４での電池認証の結果、純正品の電池であると判定された場合は、ステップＳ２０７に進み、無線コントローラ１０６が無線ドライバー１０７およびアンテナ１０８を制御してアドバタイズ信号（以下、ビーコン）を出力する。ビーコンは無線通信接続に必要なパラメータを定期的に送信する信号である。図６はビーコンのフレーム構造の一例を示しており、ビーコンに含まれる通信パラメータの一例としては、機器を識別する情報（ＵＵＩＤ）や生産者情報（Ｍａｎｕｆａｃｔｕｒｅ）、受信信号強度（Ｐｏｗｅｒ）などがある。
【００３０】
ステップＳ２０４での電池認証の結果、純正品の電池ではないと判定された場合は、ステップＳ２０６に進み、無線コントローラ１０６が電池認証結果をビーコンに付加する。ビーコンに付加する電池認証結果の一例としては、図６で示したビーコンフレームにおいて、ＵＵＩＤの中の特定のｂｉｔを認証結果ｂｉｔとして使用し、その認証結果ｂｉｔのフラグをセットするといった形態が考えられるが、これに限られるものではない。
【００３１】
ステップＳ２０７では、無線コントローラ１０６が、無線ドライバー１０７およびアンテナ１０８を制御してビーコンを出力する。ステップ１０７でのビーコン出力は定期的に行われ、通信装置１２１からビーコン停止指求を受けるまで継続される。
【００３２】
ステップＳ２０８では、電子機器１０１のメインコントローラ１０２は、通信装置１２１からビーコン停止要求を受けたか否かを判定する。そして、ビーコン停止要求を受けた場合はステップＳ２１４に進み、無線コントローラ１０６がビーコン出力を停止し、ステップＳ２１５で無線部１０３を停止させる。ステップＳ２０７で定期的に出力されるビーコン出力の間隔は、ステップＳ２０４で実施された電池認証結果に応じて変更可能である。例えば、電池認証結果が純正品の電池でない場合、電池の性能が保証できないため、電力を消費するビーコン出力をできるだけ行わないように、ビーコン出力の時間間隔を広げ、少ない電池容量でも、長い時間ビーコンを出力できるようにしてもよい。
【００３３】
次に、通信装置１２１の動作について説明する。
【００３４】
ステップＳ２２１では、通信装置１２１のメインコントローラ１２２は、ユーザが操作部１２９を操作したことに応じて、電子機器１０１を起動させるためのアプリケーションの起動を実施する。これにより、通信装置１２１の無線部１２３が、電子機器１０１の無線部１０３などから出力されているビーコンを検出するためのスキャンを行う。
【００３５】
ステップＳ２２２では、通信装置１２１の無線部１２３がアンテナ１２８を介して、電子機器１０１から出力されるビーコンを受信する。
【００３６】
ステップＳ２２３では、通信装置１２１のメインコントローラ１２２は、ステップＳ２２２において電子機器１０１から２で受信したビーコンフレームに含まれている電池認証結果を確認し、電池認証結果が純正品の電池であった場合は、ステップＳ２２６に進む。
【００３７】
ステップＳ２２６では、通信装置１２１のメインコントローラ１２２は、ユーザが操作部１２９を操作することにより、「電子機器との接続及び起動」の指示を受けたならば、無線部１２３およびアンテナ１２８を制御してリクエスト信号を送信する。図５（ａ）は、ステップＳ２２６で通信装置１２１の表示部１３０に表示される、ユーザが操作部１２９を介して「電子機器との接続及び起動」の指示を行うアプリケーション画面を例示している。図５（ａ）は、通信装置１２１の操作部１２９が表示部１３０と一体に構成されたタッチパネルである例であり、表示部１３０が操作部１２９を兼ねている。この「接続及び起動」の指示は、例えば、ユーザが図５（ａ）に示す“デバイス：ＹＹＹＹ電池認証ＯＫ“の“起動”ボタンをタッチして起動を指示することに対応する。
【００３８】
図１に戻り、ステップＳ２２３では、通信装置１２１のメインコントローラ１２２は、ビーコンに含まれる電池認証結果が純正品の電池ではない場合は、ステップＳ２２４に進み、ユーザに電池認証結果を通知する。このように、通信装置１２１の起動前であるステップＳ２２４の時点でユーザに電池認証結果を通知することで、ユーザへの通知を早く実施できる。通知は、図５（ａ）に示すように、表示部１３０に、“デバイス：ＸＸＸＸ”および“電池認証ＮＧ”などのテキストを表示するとともに、起動アイコンを選択できないようにハッチングまたはグレーアウト等で表示するといった方法があるが、この限りでない。
【００３９】
ステップＳ２２５では、ステップＳ２２４でユーザに電池認証結果を通知した後、ユーザから電子機器１０１を起動する指示を受けたか否かを確認し、起動の指示を受けた場合は、ステップＳ２２６に進む。
【００４０】
ステップＳ２２６では、通信装置１２１の無線部１２３がアンテナ１２８を介してリクエスト信号を送信する。ステップＳ２２７、Ｓ２２８では、通信装置１２１のメインコントローラ１２２は、無線部１２３を制御して、電子機器１０１との無線接続の確立を実施し、遠隔操作が可能となる。
【００４１】
なお、ステップＳ２２５でユーザから電子機器１０１を起動しない指示を受けた場合は、無線部１２３がアンテナ１２８を介してビーコン停止要求を送信する。電子機器１０１では、ステップＳ２０８で無線コントローラ１０６がアンテナ１０８と無線ドライバー１０７を介してビーコン停止要求を受信すると、ステップＳ２１４に進み、ビーコン出力を停止させた後、ステップＳ２１５に進み、無線部１０３を停止させる。
【００４２】
ステップＳ２２５で、ユーザに電子機器１０１を起動するか否かを確認する方法は、図５（ａ）に示した”デバイス：ＸＸＸＸ”の起動アイコンの代わりに、確認アイコンを設け、ユーザが確認アイコンを選択した場合に、図５（ｂ）に示すようなテキスト表示で、起動するか否かをユーザが選択可能にするといった方法が考えられるが、この限りでない。
【００４３】
図２に戻り、電子機器１０１のメインコントローラ１０２は、ステップＳ２０８でビーコン停止要求を受けていない場合は、ステップＳ２０９に進み、無線部１０３がアンテナ１０８を介して通信装置１２１からのリクエスト信号を受信したか否かを判定する。そして、リクエスト信号を受信した場合はステップＳ２１１に進み、電子機器１０１のメインコントローラ１０２を起動させ、ステップＳ２１２で通常動作を行う。また、ステップＳ２１１およびＳ２１２に並行して、無線部１０３では、ステップＳ２１０に進み、通信装置１２１との接続確立を行った後、ステップＳ２１３でメモリ１１１に書き込まれている電池認証結果を“非純正品”から“純正品“に変更する。ステップＳ２１３でメモリ１１１に書き込まれている電池認証結果を“非純正品”から“純正品”に変更しているのは、ステップＳ２２３で電池認証結果が純正品の電池（ＮＧ）ではなくても、ステップＳ２２５でユーザが“起動”を選択しているということは、ユーザの同意のもとで純正品でない電池の使用が許可されていると判断できるからである。そして、ステップＳ２１３で認証電池情報を“純正品”に変更することで、電子機器１０１を毎回起動しようと、ユーザが通信装置１２１でアプリケーションを起動するたびに、電池認証結果が通知されるといった煩わしさを避けることができる。但し、ユーザへ毎回確実に通知することを優先させる場合は、ステップＳ２１３は実施しなくてもよい。
【００４４】
次に、図７を参照して、通信装置１２１による遠隔操作を行わないで、電子機器１０１のみでの起動および認証処理を実施する場合について説明する。
【００４５】
図７は、図２において電子機器１０１をユーザが起動して電池認証を行うシーケンスを示している。なお、図７の処理は、図１のステップＳ２０２で無線部を使用しない場合と、ユーザが通信装置１２１による無線通信での遠隔起動を指示する前に、電子機器１０１の操作部１０９により直接起動を指示した場合に開始される。
【００４６】
ステップＳ７０１では、電子機器１０１のメインコントローラ１０２は、ユーザ操作に基づき操作部１０９から電子機器１０１の起動指示を受けるまで待機し、起動指示を受けた場合は、ステップＳ７０２に進む。
【００４７】
ステップＳ７０２では、電子機器１０１のメインコントローラ１０２は、通信装置１２１の遠隔操作による起動を行わない、電子機器１０１のみでの電池認証を実施する。この電池認証は、メインコントローラ１０２が実施してもよいし、無線部１０３の無線コントローラ１０６が実施してもよい。例えば、図１のステップＳ２０４で既に電池認証が実施済みであれば、メインコントローラ１０２での電池認証は不要である。また、ステップＳ２０２で無線部１０３を使用しないことが選択されている場合は、メインコントローラ１０２で実施することで、無線コントローラ１０６の起動を行わなくてよい。
【００４８】
ステップＳ７０３では、電子機器１０１のメインコントローラ１０２は、ステップＳ７０２での電池認証の結果、純正品の電池であると判定された場合は、ステップＳ７０７に進み、通常動作を行う。一方、ステップＳ７０２での電池認証の結果が純正品の電池でない場合は、ステップＳ７０４に進み、ユーザに電池認証結果を通知する。通知方法としては、表示部１１０に“電池認証ＮＧ”などのテキストを表示する方法が考えられる。
【００４９】
ステップＳ７０５では、ステップＳ７０４でユーザに電池認証結果を通知した後、ユーザから電子機器１０１を使用する指示を受けたか否かを確認し、使用しない指示を受けた場合は、ステップＳ７０８に進み、電子機器１０１をシャットダウンする。一方、使用する指示を受けた場合は、ステップＳ７０６に進み、メモリ１１１に書き込まれている電池認証結果を“非純正品”から“純正品“に変更し、ステップＳ７０７に進み、通常動作を行う。ステップＳ７０６で、メモリ１１１に書き込まれている電池認証結果を“非純正品”から“純正品”に変更しているのは、ステップＳ７０４で電池認証結果が純正品でない電池（ＮＧ）であっても、ステップＳ７０５でユーザが“電子機器を使用”を選択しているということは、ユーザの同意のもとで純正品でない電池の使用が許可されていると判断できるからである。そして、ステップＳ７０６で認証電池情報を“純正品”に変更することで、電子機器１０１を毎回起動するたびに、電池認証結果が通知されるといった煩わしさを避けることができる。但し、ユーザへ毎回確実に通知することを優先させる場合は、ステップＳ７０６は実施しなくてもよい。
【００５０】
上述した実施形態によれば、デジタルカメラなどの電子機器１０１を、ユーザが所持する通信装置１２１を使用して遠隔操作で起動させる場合に、電子機器１０１を起動する前に、ユーザに電子機器１０１に装着された電池の認証結果を通知することができる。これにより、図８に示すリモート起動後に電池認証を行い、結果を通知する従来のシーケンスに比べて、ユーザへの電池認証結果の通知を早く実施できるとともに、電子機器１０１を起動する前に起動するか否かをユーザに確認することができる。
【００５１】
ここで、図８を参照して、スマートフォンなどの通信装置を用いてデジタルカメラなどの電子機器を遠隔操作で起動させる場合の従来の電池認証処理と、電池認証結果の通知処理のシーケンスについて簡単に説明する。
【００５２】
図８において、電子機器の動作は、無線部のシーケンスと、それ以外のブロックのシーケンスとを分けて示している。
【００５３】
ステップＳ８０１でユーザにより電池が装着されると、ステップＳ８０２で無線部が起動する。ステップＳ８０３では無線部がビーコンを送信する。ステップＳ８０４では無線部が通信装置からリクエスト信号を受信するまで、ビーコン信号を定期的に送信し続けている。一方、通信装置では、ユーザ操作に基づき、ステップＳ８２１で電子機器を起動させるためのアプリケーションを起動し、ステップＳ８２２でビーコンを受信した後、ステップＳ８２３でリクエスト信号を送信する。一方、電子機器では、無線部が、ステップＳ８０４でリクエスト信号を受信すると、ステップＳ８０５で通信装置との接続を確立するのと並行して、電子機器は、ステップＳ８０６で起動と電池認証を行う。そして、電池認証の結果、ステップＳ８０７で純正品の電池と判定された場合は、ステップＳ８０９で通常動作を行う。また、ステップＳ８０７で純正品でない電池と判定された場合は、ステップＳ８０８で、電子機器の無線部が電池認証結果を通信装置に送信する。ステップＳ８２５では、通信装置が電池認証結果として純正品の電池ではないことをユーザに通知し、ステップＳ８２６で通常動作に移行する。
【００５４】
このように従来は、電子機器を遠隔操作で起動させる場合は、通信装置を起動してから電池認証を実施すると同時に、無線通信による接続を確立することで電池認証結果を通信装置に送信し、ユーザに通知を行っている。
【００５５】
［実施形態２］次に、図３および図４を参照して、実施形態２について説明する。
【００５６】
図３は、実施形態２の電子機器および通信装置の構成を示すブロック図であり、図４は、実施形態２の電子機器を通信装置の遠隔操作により起動させる場合の電池認証処理と、電池認証結果の通知処理のシーケンスを示すフローチャートである。
【００５７】
まず、図３の実施形態２の電子機器の構成について説明するが、図３において図１と同様の構成には同一の符号を付して説明を省略し、相違点を中心に説明を行う。
【００５８】
実施形態２では、純正品でない電池と判定された場合には、起動およびビーコン出力を行わない構成としている。
【００５９】
図３において図１の実施形態１の構成と異なる点は、内蔵電池３０１と、内蔵電池３０１の電源供給経路の切り替え部３０２が追加されているところである。なお、本実施形態では、内蔵電池３０１と区別するため、電池１０４をメイン電池１０４と称しているが、構成は同じものである。内蔵電池３０１は、例えば、電子機器１０１の日時をカウントするリアルタイムクロックなどを動作させるボタン電池などであり、ユーザが簡単に交換できないものである。内蔵電池３０１は、電子機器１０１の全てのブロックを動作させるメイン電池１０４に比べて電池容量が少ない。また、切り替え部３０２は、無線部１０３に電力を供給する電源を、内蔵電池３０１にするか、メイン電池１０４にするかを切り替える制御を行う。無線コントローラ１０６がメイン電池１０４の認証部１０５と通信を行って電池認証を行い、電池認証の結果が純正品の電池であると判定された場合、無線コントローラ１０６が切り替え部３０２を制御して、無線部１０３の電源をメイン電池１０４から内蔵電池３０１に切り替える。また、無線コントローラ１０６が通信装置１２１からリクエスト信号を受信すると、切り替え部３０２を制御し、無線部１０３の電源を内蔵電池３０１からメイン電池１０４へ切り替える。
【００６０】
次に、図４の実施形態２の電子機器の動作について説明するが、図４において図２と同様の処理には同一のステップ番号を付して説明を省略し、相違点を中心に説明を行う。
【００６１】
図４において、図２と異なる点は、ステップＳ４０１とステップＳ４０２である。ステップＳ２０５での電池認証の結果、純正品の電池でないと判定されると、ステップＳ４０１で電子機器１０１の無線部１０３は、無線コントローラ１０６により切り替え部３０２を制御して無線部１０３の電源をメイン電池１０４から内蔵電池３０１に切り替える。その後、ステップＳ２０７では、無線部１０３は、無線コントローラ１０６およびアンテナ１０８を制御してビーコンを出力する。ステップ１０７でのビーコン出力は定期的に行われ、通信装置１２１からビーコン停止要求を受けるまで継続されるが、電池認証の結果が純正品でない電池であっても、性能が保証されている内蔵電池３０１で無線部１０３を動作させてビーコン出力を行うことができる。
【００６２】
また、ステップＳ２０９で通信装置１２１からリクエスト信号を受信した場合、ステップＳ４０２で電子機器１０１の無線部１０３は、無線コントローラ１０６により切り替え部３０２を制御して無線部１０３の電源を内蔵電池３０１からメイン電池１０４に切り替える。この時点では、ユーザへの電池認証結果の通知を既に行っており、ユーザから「電子機器との接続及び起動」の指示を受けていることから、ユーザの同意のもとで純正品でない電池の使用が許可されていると判断できるので、無線部１０３の電源をメイン電池１０４に切り替えている。その後、ステップＳ２１０で通信装置１２１との接続確立を行った後、ステップＳ２１３でメモリ１１１に書き込まれている電池認証結果を“非純正品”から“純正品“に変更する。
【００６３】
上述した実施形態によれば、実施形態１の効果に加えて、電池認証の結果が純正品でない電池であっても、性能が保証されている内蔵電池３０１で無線部１０３を動作させてビーコン出力を行うことができる。これにより、ユーザに電池認証結果を通知する前においてより確実な制御を行うことができる。
【００６４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１０１…電子機器、１２１…通信装置、１０２、１２２…メインコントローラ、１０３、１２３…無線部、１０４、１２４…電池、１０５…認証部、１０６…無線コントローラ、１０９、１２９…操作部、１１０、１３０…表示部
【図１】
2018006145.tif 000003
【図２】
2018006145.tif 000004
【図３】
2018006145.tif 000005
【図４】
2018006145.tif 000006
【図５】
2018006145.tif 000007
【図６】
2018006145.tif 000008
【図７】
2018006145.tif 000009
【図８】
2018006145.tif 000010